(57)【要約】【課題】組み立てが容易な陳列棚を提供する。【解決手段】陳列棚１は、背板１０の左右に回転可能に接続された側板２０と、左右の側板２０に回転可能に接続された棚受４０と、陳列物が載置され側板２０が開状態であり棚受４０が開状態である状態において棚受４０の上部に配置される棚板６０と、棚受４０を開状態に保持するゴム５０を備える。【選択図】図１
2016083278.tif 000002
【特許請求の範囲】
【請求項１】
背板と、
前記背板の左辺部及び右辺部に閉状態及び開状態の間で回転可能に接続された側板と、
左右の前記側板のそれぞれの内側の面に、閉状態及び開状態の間で回転可能に接続された板状の棚受と、
陳列物が載置され、前記側板が開状態であり、前記棚受が開状態である状態において、前記棚受の上部に配置される棚板と、
前記棚受を、開状態に保持する棚受保持部と、
を備える陳列棚。
【請求項２】
請求項１に記載の陳列棚において、
前記棚受保持部は、左右の前記棚受を、内側に付勢する付勢部材を備えること、
を特徴とする陳列棚。
【請求項３】
請求項１又は請求項２に記載の陳列棚において、
前記棚受を、開状態から下側に回転しないように規制するストッパを備えること、
を特徴とする陳列棚。
【請求項４】
請求項１から請求項３のいずれかに記載の陳列棚において、
前記棚板は、左右方向の外側に突出した爪部を備え、
前記側板は、前記爪部が挿入されることにより、前記棚板を開状態に保持する爪挿入穴を備えること、
を特徴とする陳列棚。
【請求項５】
請求項１から請求項４のいずれかに記載の陳列棚において、
前記棚板は、前記背板に回転可能に設けられていること、
を特徴とする陳列棚。
【請求項６】
請求項５に記載の陳列棚において、
前記背板、前記側板、前記棚受、前記棚板は、前記棚板を閉状態に回転し、前記棚受を閉状態に回転し、前記側板を閉状態に回転することにより、折り畳み状態へと変形可能であり、
前記背板の奥側に設けられた収容箱を備え、
前記収容箱は、前記背板、前記側板、前記棚受、前記棚板が折り畳み状態へ変形した状態で、前記収容箱の各板片を反対側に折り返すことにより、前記背板、前記側板、前記棚受、前記棚板を収容すること、
を特徴とする陳列棚。
【発明の詳細な説明】
【技術分野】
【０００１】
本発明は、折り畳み可能な陳列棚に関するものである。
【背景技術】
【０００２】
従来、折り畳んだ状態から、使用時に組み立てる陳列台等があった（例えば特許文献１）。
しかし、従来の陳列台等は、組み立て時には、多くの部品を組み合わせる必要があった。このため、従来の陳列台等は、組み立て作業が複雑であった。
【先行技術文献】
【特許文献】
【０００３】
【特許文献１】特許第４２８６９３２号公報
【発明の概要】
【発明が解決しようとする課題】
【０００４】
本発明の課題は、組み立てが容易な陳列棚を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、背板（１０）と、前記背板の左辺部及び右辺部に閉状態及び開状態の間で回転可能に接続された側板（２０）と、左右の前記側板のそれぞれの内側の面に、閉状態及び開状態の間で回転可能に接続された板状の棚受（４０，３４０）と、陳列物が載置され、前記側板が開状態であり、前記棚受が開状態である状態において、前記棚受の上部に配置される棚板（６０）と、前記棚受を、開状態に保持する棚受保持部（５０，２５１，２５２）と、を備える陳列棚である。
・第２の発明は、第１の発明の陳列棚において、前記棚受保持部は、左右の前記棚受（４０，３４０）を、内側に付勢する付勢部材（５０）を備えること、を特徴とする陳列棚である。
・第３の発明は、第１又は第２の発明の陳列棚において、前記棚受（４０）を、開状態から下側に回転しないように規制するストッパ（４１ａ）を備えること、を特徴とする陳列棚である。
・第４の発明は、第１から第３のいずれかの発明の陳列棚において、前記棚板（６０）は、左右方向の外側に突出した爪部（６３）を備え、前記側板（２０）は、前記爪部が挿入されることにより、前記棚板を開状態に保持する爪挿入穴（２３）を備えること、を特徴とする陳列棚である。
・第５の発明は、第１から第４のいずれかの発明の陳列棚において、前記棚板（６０）は、前記背板（１０）に回転可能に設けられていること、を特徴とする陳列棚である。
・第６の発明は、第５の発明の陳列棚において、前記背板（１０）、前記側板（２０）、前記棚受（４０，３４０）、前記棚板（６０）は、前記棚板を閉状態に回転し、前記棚受を閉状態に回転し、前記側板を閉状態に回転することにより、折り畳み状態へと変形可能であり、前記背板の奥側に設けられた収容箱（７０）を備え、前記収容箱は、前記背板、前記側板、前記棚受、前記棚板が折り畳み状態へ変形した状態で、前記収容箱の各板片を反対側に折り返すことにより、前記背板、前記側板、前記棚受、前記棚板を収容すること、を特徴とする陳列棚である。
【発明の効果】
【０００７】
本発明によれば、組み立てが容易な陳列棚を提供できる。
【図面の簡単な説明】
【０００８】
【図１】第１実施形態の陳列棚１の陳列状態の斜視図である。
【図２】第１実施形態の陳列棚１を変形させる態様を、手前側Ｙ１から見た斜視図である。
【図３】第１実施形態の陳列棚１を変形させる態様を、手前側Ｙ１から見た斜視図である。
【図４】第１実施形態の陳列棚１の断面の拡大図である。
【図５】第２実施形態の陳列棚２０１の斜視図である。
【図６】第２実施形態の陳列棚２０１の断面図（図５（Ａ）の６−６部断面図）であり、側板２０及び棚受４０の接続部の近傍の構成を説明する図である。
【図７】第３実施形態の棚板６０を開状態から閉状態に配置した斜視図である（図２（Ａ）に相当する図）。
【発明を実施するための形態】
【０００９】
（第１実施形態）
以下、図面等を参照して、本発明の第１実施形態について説明する。
図１は、第１実施形態の陳列棚１の陳列状態の斜視図である。
図１（Ａ）は、手前側Ｙ１から見た斜視図である。
図１（Ｂ）は、奥側Ｙ２から見た斜視図である。
図２、図３は、第１実施形態の陳列棚１を変形させる態様を、手前側Ｙ１から見た斜視図である。
なお、図３（Ｂ）は、陳列棚１が収容状態の図である。
図４は、第１実施形態の陳列棚１の断面の拡大図である。
図４（Ａ）は、図１（Ａ）の４Ａ−４Ａ部断面図であり、側板２０及び棚受４０の接続部の近傍の構成を説明する図である。
図４（Ｂ）は、図１（Ａ）の４Ｂ−４Ｂ部断面図であり、背板１０及び棚板６０の接続部の構成を説明する図である。
【００１０】
実施形態、図面では、説明と理解を容易にするために、ＸＹＺ直交座標系を設けた。この座標系は、陳列棚１を手前側Ｙ１から見た状態を基準にして、鉛直方向Ｚ、左右方向Ｘ、奥行方向Ｙを表す。左右方向Ｘ、奥行方向Ｙは、水平方向の座標軸である。
左右にそれぞれ配置された側板２０、棚受４０は、左右対称の構成である。図面には、右側Ｘ２の側板２０を適宜二点鎖線で図示した。
なお、実施形態では、陳列棚１の主要部（背板１０、側板２０、背板−側板接続部３０、棚受４０、棚板６０）が組み立てられた状態を組み立て状態（図１の状態）という。また、主要部が折り畳まれた状態を折り畳み状態（図３（Ａ）の状態）という。
さらに、陳列棚１の陳列時の状態であり、組み立て状態において背板１０の奥側Ｙ２で収容箱７０が組み立てられた状態を陳列状態（図１の状態）という。また、陳列棚１の収容時の状態であり、折り畳み状態において、背板１０の手前側Ｙ１に向けて収容箱７０が組み立てられ、主要部が収容箱７０に収容された状態を収容状態（図３（Ｂ）の状態）という。
【００１１】
陳列棚１は、例えば、店舗等において、商品の販売促進、販売等に利用される。棚板６０には、陳列物である販売促進品、商品等が載置される。
【００１２】
（陳列棚１の構成）
図１に示すように、陳列棚１は、背板１０、側板２０、背板−側板接続部３０、棚受４０、ゴム５０（棚受板保持部）、棚板６０、収容箱７０、表示板８０を備える。
これらの部材は、それぞれ、ケント紙、段ボール等の板材単体、又はこれらの板材を複数貼り合わせたりして形成される。
背板１０、側板２０、背板−側板接続部３０、棚受４０、棚板６０、収容箱７０は、これらの部材間が接着されることにより、一体構造に形成されている。
また、背板１０、側板２０、背板−側板接続部３０、棚受４０、棚板６０は、それぞれ、板材を折り加工することにより、２枚構成又は中空の構成になっている。
鉛直方向Ｚにおいて、背板１０、側板２０、背板−側板接続部３０、収容箱７０の長さは、等しい。背板１０、側板２０、背板−側板接続部３０、収容箱７０の底部が、設置面に当接することにより、陳列棚１が設置面に設置される。
【００１３】
背板１０及び側板２０間は、背板−側板接続部３０によって接続されており、背板−側板接続部３０のヒンジ部Ｈ３１，Ｈ３２によって回転可能である。
棚受４０及び側板２０間は、ヒンジ部Ｈ４０（図４（Ａ）参照）によって回転可能である。
棚板６０及び背板１０間は、ヒンジ部Ｈ６０によって回転可能である。
なお、これらのヒンジ部は、例えば、段ボールに設けられた押罫等である。
【００１４】
構成部材の詳細について説明する。
図１に示すように、背板１０、側板２０、背板−側板接続部３０は、長方形の板材である。背板１０、側板２０、背板−側板接続部３０は、１枚の板材を折り加工して形成してもよい。
背板１０は、陳列棚１の奥壁を形成する部分である。
側板２０は、陳列棚１の側壁を形成する部分である。
図２（Ａ）、図４（Ａ）に示すように、側板２０は、穴部２３を備える。
穴部２３は、側板２０の内側に設けられた開口である。穴部２３は、奥行方向Ｙに細長い。後述するように、穴部２３は、棚板６０を取り付けるための取り付け穴としての機能と、棚板６０の爪部６３の挿入穴としての機能とを有する。
【００１５】
図１に示すように、背板−側板接続部３０の奥側Ｙ２の辺部は、背板１０の左右の辺部に接続されている。この接続部分は、ヒンジ部Ｈ３２であり、背板１０及び背板−側板接続部３０間を回転可能に接続する。
背板−側板接続部３０の手前側Ｙ１の辺部は、側板２０の奥側Ｙ２の片部に接続されている。この接続部分は、ヒンジ部Ｈ３１であり、側板２０及び背板−側板接続部３０間を回転可能に接続する。
これら接続部の回転軸は、鉛直方向Ｚに平行である。
これにより、側板２０は、背板１０の左辺部及び右辺部に対して、背板−側板接続部３０を介して接続され、また、閉状態（図３（Ａ）の状態）及び開状態（図１（Ａ）の状態）の間で回転可能である。
【００１６】
図３（Ａ）に示すように、背板−側板接続部３０の短辺部の長さＬ３０は、折り畳み状態において、棚板６０、棚受４０の厚さを吸収できる程度である。このため、この長さＬ３０は、背板１０、側板２０の各辺部の長さに比べると十分に小さい。
【００１７】
背板−側板接続部３０は、棚板６０よりも上側Ｚ２の部分に、爪収容穴３３を備える。
爪収容穴３３は、折り畳み状態において、棚板６０の爪部６３（後述する）を収容する穴である。爪収容穴３３は、組み立て状態における棚板６０の爪部６３の位置に対応した位置に設けられている。
【００１８】
図２（Ａ）、図４に示すように、棚受４０は、棚板６０を受ける板状の部材である。つまり、棚受４０は、棚板６０を、棚板６０の下面から受ける。
棚受４０は、左右の側板２０の内側にそれぞれ取り付けられている。
棚受４０は、ヒンジ部Ｈ４０によって、取り付け片４２に接続されている。ヒンジ部Ｈ４０の回転軸は、奥行方向Ｙに平行である。
取り付け片４２が側板２０の穴部２３に挿入されることにより、棚受４０は、側板２０に取り付けられる。
これにより、棚受４０は、閉状態（図２（Ｂ）の状態）及び開状態（図２（Ａ）の状態）の間で、ヒンジ部Ｈ４０回りに回転可能に接続される。また、開状態では、棚受４０の表裏面が、鉛直方向Ｚを向く。つまり、開状態では、棚受４０の上面は、水平面である。
【００１９】
棚受４０は、ゴム掛け穴４５を備える。
ゴム掛け穴４５は、ゴム５０を引っ掛けるための孔である。
【００２０】
図４（Ａ）に示すように、棚受４０は、板材を折って重ねることにより形成される。
この板材の先端４１ａと、取り付け片４２とは、側板２０の内壁２０ａを挟み込むことにより、開状態の棚受４０を、ヒンジ部Ｈ４０回りに下側Ｚ１に回転しないように規制する。このように、これらは、開状態の棚受４０を、下側Ｚ１に回転しないように規制するストッパとして機能する。
【００２１】
ゴム５０は、棚受４０を、開状態に保持するための部材である。ゴム５０は、例えば輪ゴムである。ゴム５０は、左右の棚受４０に引っ掛けられることにより、左右方向Ｘにおいて、左右の棚受４０を内側に付勢する。
【００２２】
図１に示すように、棚板６０は、陳列物が載置される部材である。
棚板６０は、背板１０に取り付けられている。
図２（Ａ）、図４（Ｂ）に示すように、棚板６０は、ヒンジ部Ｈ６０によって、取り付け片６２に接続されている。ヒンジ部Ｈ６０の回転軸は、左右方向Ｘに平行である。
取り付け片６２が背板１０の取り付け穴１０ａに挿入されることにより、棚板６０は、背板１０に取り付けられる。取り付け片６２及び背板１０間は、必要に応じて接着してもよい。
【００２３】
これにより、棚板６０は、閉状態（図２（Ａ）の状態）及び開状態（図１（Ａ）の状態）の間で、ヒンジ部Ｈ６０回りに回転可能に接続される。
また、鉛直方向Ｚにおいて、ヒンジ部Ｈ６０の高さと、棚受４０のヒンジ部Ｈ４０の高さとは、等しい又はほぼ等しい。このため、開状態の棚板６０の下面は、棚受４０の上面に面接触する。このため、開状態では、棚板６０の上面は、水平面である。
【００２４】
棚板６０は、爪部６３を備える。
爪部６３は、棚板６０の左辺部、右辺部から、左右方向Ｘの外側に突出するように設けられている。
【００２５】
なお、図１（Ａ）に示すように、組み立て状態において、棚板６０の短辺の長さ（奥行方向Ｙの長さ）は、背板１０から側板２０の先端までの長さＬ１と等しく、かつ、背板１０の上辺からヒンジ部Ｈ６０までの長さＬ２と等しい。
図３（Ａ）に示すように、このため、折り畳み状態において、棚板６０の先端位置と、側板２０の上端位置とは、等しい。なお、図３（Ａ）には、上端の形状のうち、棚板６０の形状と、背板１０、側板２０及び背板−側板接続部３０の形状とを異なるハッチングで図示し、また、棚板６０の外形を太線で示した。
これにより、陳列棚１は、組み立て状態、折り畳み状態において、棚板６０の先端が突出したりしないので、取り扱いが容易である。
【００２６】
図３に示すように、収容箱７０の形態は、たとう式（やっこ式とも呼ぶ）である。すなわち、収容箱７０は、底板７５の４辺部に接続された４つの板片７１，７２を立ち上げて、収容物を包むようにして折り曲げて、収容する形態である。
図１に示すように、収容箱７０の底板７５は、背板１０の奥側Ｙ２の面に接着されている。
陳列棚１の陳列状態は、陳列棚１が組み立て状態の場合に、収容箱７０の板片７１，７２を、奥側Ｙ２に向けて立ち上げて箱状にされた状態である。
また、図３に示すように、陳列棚１の収容状態は、陳列棚１が折り畳み状態の場合に、収容箱７０の板片７１，７２が反対側に折り返されることにより、背板１０、側板２０、背板−側板接続部３０、棚受４０、棚板６０、表示板８０等が収容された状態である。
なお、収容箱７０の形態は、たとう式に限定されず、上記機能を奏する形態であればよい。
【００２７】
図１に示すように、表示板８０は、販売促進品、商品等の宣伝、説明等が印刷された板材である。
表示板８０の下端は、背板１０の取り付け穴１５に挿入するための突出部８５を備える。
表示板８０は、陳列棚１の仕様に応じて用意して、取り付ければよい。図１（Ａ）以外の図面では、表示板８０の図示を省略した。
【００２８】
（組み立て状態の維持）
陳列棚１は、以下の作用によって、組み立て状態を安定して維持できる。
図４（Ａ）に示すように、棚受４０は、ゴム５０によって左右方向Ｘの内側に付勢されることにより、開状態を維持できる。
図２（Ａ）に示すように、棚受４０が付勢されることにより、左右の側板２０は、左右方向Ｘの内側に付勢される。
これにより、左右の側板２０は、棚板６０の左辺部及び右辺部に当接して、開状態を安定して維持できる。
【００２９】
棚板６０は、棚受４０上に配置され、また、左右の側板２０によって左右方向Ｘの内側に押し付けられることにより、開状態を維持される。
これに加えて、棚板６０の爪部６３は、側板２０の穴部２３に挿入されている。このため、棚板６０は、開状態の位置にロックされた状態となる。これにより、棚板６０は、より安定して開状態を維持される。
【００３０】
（棚板６０に加わる荷重を受ける構成）
陳列棚１が、棚板６０に加わる荷重を受ける構成を説明する。
図４に示すように、棚板６０は、棚受４０に当接し、また、背板１０に対してヒンジ部Ｈ６０によって接続されている。これにより、棚板６０に加わる荷重Ｆ１は、主に、棚受４０を介して側板２０が受け、また、ヒンジ部Ｈ６０を介して背板１０が受ける。
ここでは、棚受４０に関する構成について説明する。
【００３１】
前述したように、棚受４０は、ゴム５０によって、開状態を維持される。また、棚受４０と棚板６０とは、面接触しているので、棚受４０が棚板６０を受ける面積は大きい。
このため、棚受４０は、棚板６０に荷重Ｆ１に加わった場合に、棚板６０の一部が大きく窪んだりすることを抑制できる。このように、棚受４０は、棚板６０の上面に加わる荷重Ｆ１を安定して受けることができる。
【００３２】
また、陳列棚１は、棚板６０に加わる荷重Ｆ１を、上記に加えて以下の作用によっても、受ける。
（１）図４（Ａ）に示すように、棚受４０は、ストッパ（棚受４０の板材の先端４１ａ等）によって、開状態を維持される。このため、棚板６０に荷重Ｆ１が加わった場合に、棚受４０は、下側Ｚ１に回転することを抑制される。
（２）棚板６０の爪部６３は、側板２０の穴部２３に挿入されている。側板２０の穴部２３の縁部２３ａは、棚板６０に加わる荷重Ｆ１を、爪部６３から棚受４０の板材を介して受ける。なお、側板２０が内側に付勢されることにより、爪部６３は、穴部２３から抜けることを抑制される。このため、棚板６０は、開状態の位置に、確実に保持される。
【００３３】
これにより、陳列棚１は、棚板６０に加わる荷重Ｆ１をより安定して受けることができるので、耐荷重を向上できる。
また、棚受４０の面が水平面に配置されることにより、棚板６０の下側Ｚ１は、手前側Ｙ１に大きく開口したスペースを確保できる。このため、陳列棚１は、店舗等での陳列時において、このスペースを有効に利用できる。
【００３４】
（陳列状態から収容状態への変形）
陳列棚１を陳列状態から収容状態に変形させるには、作業者は、以下の工程に従えばよい。
最初に、作業者は、陳列棚１を陳列状態（組み立て状態）から折り畳み状態へと変形させる。
（１）図１（Ａ）に示す組み立て状態において、左右の側板２０を、棚板６０の爪部６３が穴部２３から抜ける程度に、左右方向Ｘの外側に開く。
（２）図２（Ａ）に示すように、棚板６０を、開状態から閉状態へと変形させる。これにより、棚板６０及び背板１０が密着した状態になる。
（３）図２（Ｂ）に示すように、棚受４０を、開状態から閉状態へと変形させる。これにより、棚受４０及び側板２０が密着した状態になる。
（４）図３（Ａ）に示すように、側板２０を、開状態から閉状態へと変形させる。これにより、側板２０及び背板１０が重なった状態になる。
以上により、陳列棚１は、折り畳み状態に変形する。
【００３５】
（５）次に、図３（Ａ）、図３（Ｂ）に示すように、収容箱７０の上下の片７１を手前側Ｙ１に折り返した後、左右の各片７２を手前側Ｙ１に折り返して閉じ、ロック片７２ａをロック孔７２ｂに挿入する。
これにより、陳列棚１は、収容状態に変形する。
このように、陳列状態（組み立て状態）の陳列棚１を折り畳み状態、収容状態へと変形する作業は、容易である。
また、陳列棚１は、収容箱７０に収容されることにより、保管、輸送時等の取扱いが容易である。
【００３６】
（収容状態から陳列状態への変形）
作業者は、陳列棚１を、収容状態から陳列状態へと変形するには、上記（１）から（５）とは逆の工程に従えばよい。
すなわち、作業者は、収容箱７０の各片７１，７２を奥側Ｙ２に折り返して組み立てた後、順に、左右の側板２０を開状態に変形し、棚受４０を開状態に変形した後、棚板６０を開状態に変形することにより、棚受４０の上部に配置すればよい。
なお、作業者が左右の側板２０を開状態に変形すると、ゴム５０の付勢力によって、棚受４０が自ら開状態に変形する。
【００３７】
棚板６０を開状態に変形する工程では、棚板６０の爪部６３が側板２０の穴部２３に挿入される。この挿入された瞬間には、作業者は、「カチッ」といった感触（クリック感）がある。この感触によって、作業者は、棚板６０が開状態に確実に配置され、陳列棚１が組み立てられたことを、確認できる。
このように、陳列棚１を組み立て状態、陳列状態へと変形する作業は、容易である。
【００３８】
以上説明したように、本実施形態の陳列棚１は、組み立て、折り畳み等の作業が容易である。また、陳列棚１は、棚板６０に加わる荷重を安定して受けることができる。
【００３９】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図５は、第２実施形態の陳列棚２０１の斜視図である。
図５（Ａ）は、陳列棚２０１の陳列状態（組み立て状態）を手前側Ｙ１から見た図である。
図５（Ｂ）は、図５（Ａ）の状態から、棚板６０を閉状態に配置した状態である。
図６は、第２実施形態の陳列棚２０１の断面図（図５（Ａ）の６−６部断面図）であり、側板２０及び棚受４０の接続部の近傍の構成を説明する図である。
【００４０】
図５に示すように、本実施形態の陳列棚２０１は、ゴムの代わりに、面ファスナ２５１，２５２（棚受保持部）を備える。
面ファスナ２５１は、棚受４０の上面に接着されている。
面ファスナ２５２は、棚板６０の下面に接着されている。
図６に示すように、組み立て状態において、面ファスナ２５１，２５２は、接合する。これにより、側板２０及び棚板６０間が、棚受４０を介して接続される。
【００４１】
（組み立て状態の維持）
本実施形態の陳列棚２０１は、以下のように、組み立て状態を維持できる。
一方の側板２０は、他方の側板２０に対して、棚板６０、面ファスナ２５１，２５２、棚受４０を介して、接続される。これにより、左右の側板２０は、相対的な位置決めがされるので、開状態を維持できる。
また、棚受４０及び棚板６０は、面ファスナ２５１，２５２によって接続された状態が維持されるので、開状態を維持できる。つまり、棚受４０は、開状態に保持される。
【００４２】
以上説明したように、本実施形態の陳列棚２０１は、面ファスナ２５１，２５２を用いることにより、組み立て状態を維持することができる。
【００４３】
（第３実施形態）
次に、本発明の第３実施形態について説明する。
図７は、第３実施形態の棚板６０を開状態から閉状態に配置した斜視図である（図２（Ａ）に相当する図）。
本実施形態の棚受３４０のヒンジ部Ｈ３４０の回転軸は、鉛直方向Ｚに平行である。このため、棚受３４０は、ヒンジ部Ｈ３４０回りに奥行方向Ｙに回転する。
組み立て状態では、棚板６０は、棚受３４０の上端部３４３に配置される。これにより、棚受３４０は、棚板６０に加わる荷重を、上端部３４３によって受けることができる。
以上説明したように、本実施形態の陳列棚３０１は、棚受３４０を奥行方向Ｙに回転するようにしても、棚板６０に加わる荷重を受けることができる。
【００４４】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４５】
（変形形態）
（１）実施形態において、棚板の上面は、水平面である例を示したが、これに限定されない。棚板の上面は、例えば、奥側に至る程、下側に至るように傾斜した形態でもよい。この形態は、棚受のヒンジ部をこの傾斜に平行になるように設け、棚受の上面を、開状態において、この傾斜に平行になるように配置すれば実現できる。この形態は、陳列物が、手前側から不意に落下することを抑制できる。
【００４６】
（２）実施形態において、棚板は１枚設けられた例を示したが、これに限定されない。棚板は、複数枚設けてもよい。
【符号の説明】
【００４７】
１，２０１，３０１  陳列棚
１０  背板
２０  側板
２３  穴部
３０  背板−側板接続部
３３  爪収容穴
４０，３４０  棚受
４１ａ  先端
５０  ゴム
６０  棚板
６３  爪部
７０  収容箱
２５１，２５２  面ファスナ
Ｈ３１，Ｈ３２，Ｈ４０，Ｈ６０，Ｈ３４０  ヒンジ部
【図１】
2016083278.tif 000003
【図２】
2016083278.tif 000004
【図３】
2016083278.tif 000005
【図４】
2016083278.tif 000006
【図５】
2016083278.tif 000007
【図６】
2016083278.tif 000008
【図７】
2016083278.tif 000009